(57)【要約】【課題】雨水によって効果的に防音パネルの洗浄がなされる防音パネルの洗浄構造及びこの洗浄構造を備えた防音壁を提供せんとする。【解決手段】防音パネル１０の上部に設けられ、上方の遮蔽物より外側に張り出された樋状の雨受け部１によって集められた雨水が、内側及び／又は外側の面上に導かれることで、遮音壁の上方に遮蔽物が存在し、直接当たる雨水が期待できない状況においても最上段の防音パネル１０ａの内側の面を前記雨水にて洗浄でき、汚染物質を洗い流して透視性を保持することができる。【参照図】図４
2004052231.tif 000002
【特許請求の範囲】
【請求項１】
上部に樋状の雨受け部を形成し、雨受け部に降った雨水が、内側及び／又は外側の面状に導かれるようになされ、外側の面の上方に遮蔽物が存在する防音パネルの洗浄構造であって、該防音パネルは、該遮蔽物より外側に雨受け部を張り出させたことを特徴とする防音パネルの洗浄構造。
【請求項２】
前記防音パネルは、内側に向かって傾斜して設けられたものであることを特徴とする請求項１に記載の防音パネルの洗浄構造。
【請求項３】
防音パネルの上方に面板が配置され、該面板上に降った雨水を防音パネルの上端付近に導いて防音パネルの内側の面及び／又は外側の面を洗浄する防音パネルの洗浄構造であって、面板の下端付近に、上端から下端に向かう複数の水の通り道が互いに間隔を開けて並設されていることを特徴とする防音パネルの洗浄構造。
【請求項４】
面板の上部が曲折されて折曲部が形成され、該折曲部の上面が雨水受けとなされ、上方からの雨水を受ける前記雨水受けを上部に形成した防音パネルを、雨水受けが下り勾配で内側に傾斜するようにして設置し、雨水受けで受けた上方からの雨水が、雨水受け上を伝って防音パネルの内側の面上に導かれるようになされた防音パネルの洗浄構造であって、前記雨水受けは折り畳み可能となされていることを特徴とする防音パネルの洗浄構造。
【請求項５】
請求項１〜４のいずれかに記載の防音パネルの洗浄構造を備えたことを特徴とする防音壁。
【発明の詳細な説明】
【０００１】
【発明の属する技術分野】
本発明は、道路や鉄道の沿線等に沿って設置される防音パネルの洗浄構造及びこの洗浄構造を備えた防音壁に関するものである。
【０００２】
【従来の技術】
車両からの騒音を遮断するために、道路や鉄道の沿線等に沿って防音壁が設置される。かかる防音壁に用いられる防音パネルは、不透明な面板から形成されたものもあるが、不透明な面板から形成された防音パネルは、その不透明性により周囲の風景が遮られるため、圧迫感があり、また景観性に乏しいことから、最近では、周囲の風景が遮られることのないように、透視性を有する面板により形成された防音パネルが富に用いられている。
【０００３】
かかる防音パネルは、設置されて常に車両の排気ガスや塵埃にさらされているために、排気ガスや塵埃等により汚染され、景観を損なう問題がある。特に透視性を有する防音パネルでは、汚染がよく目立ち、又その汚染により透視性が損なわれる恐れがある。
【０００４】
もっとも防音パネルは、時々降雨に晒されることから、雨水による洗浄が期待される。しかしながらこれも降雨に晒される範囲のみであって、例えば、防音パネルが高架道路の下に設置されたり、道路の上方に湾曲して設置された場合においては、民地側となる防音パネルの外側の面は、降雨に晒されやすく、雨水による洗浄も期待できるが、道路側となる防音パネルの内側の面は、降雨に晒されにくく、且つ外側の面よりも汚染が激しいことから、あまりこの雨水による洗浄は期待できない。すなわち上記の例では、防音パネルの内側の面は、自然の降雨のみでは内側の面を伝う雨水が微量であり、付着した汚染物質を効果的に洗い流すことができない。汚染物質が付着して堆積すると、多量の水を供給しても効果的に洗浄できなくなることから、防音パネルの内側の面は、汚染物質が堆積する前に、作業車で直接水を噴射したり、スプリンクラー等により定期的に洗浄する必要がある。
【０００５】
なお、防音パネルの表面に光触媒含有層を形成し、この光触媒含有層に紫外線を照射すれば、光触媒が活性化されてその表面が親水化され、汚染物質が付着しにくくなり、又付着した汚染物質は降雨に晒されると、雨水により容易に洗浄されることが知られている。しかしながら、上記の例の如き降雨に晒されにくい防音パネルの内側の面にあっては、自然の降雨のみでは、この光触媒含有層による洗浄も期待できない。そこで光触媒含有層を形成していても防音パネルの内側の面は、やはり作業車で直接水を噴射したり、スプリンクラー等により定期的に洗浄する必要がある。
【０００６】
そこで、本出願人による特開２０００−２０４５２０号において、上下に積み重ねられた防音パネルの、上下に隣接する上段の防音パネルの下部より下段の防音パネルの上部にかけて導水孔を形成し、上段の防音パネルの外側の面上に降った雨水を導水孔を伝って下段の防音パネルの内側の面上に導かれるようにした防音パネルの洗浄構造が提案されている。
【０００７】
また、同じく本出願人による特開２００１−３２２２１号において、上下に隣接する少なくとも上段の防音パネルの面板に下枠材を配置し、且つ下枠材の外側面上に上端から下端に向かう複数の水の通り道を互いに間隔を開けて並設し、面板の外側の面上に降った雨水が前記下枠材の水の通り道を伝って下方に導かれるようにして、その導かれた雨水が、さらに下段の防音パネルの内側の面上に導かれるようにした防音パネルの洗浄構造が提案されている。
【０００８】
【発明が解決しようとする課題】
しかしながら、これらの洗浄構造においても、上下に複数積み重ねられた防音パネルが設置された上方に高架橋等の遮蔽物が存在する場合には、防音パネルの外側の面には風などにより流された雨水が当たり、また積み重ねられた防音パネルの内、２段目より下に設けられた防音パネルの内側には、最上段の防音パネルの外側の面に当たった雨水が導水孔等により内側の面に導かれるが、最上段の防音パネルの内側の面には雨水が当たらず、また外面からの導かれる雨水も期待できないことから、最上段の防音パネルの内側の面は雨水により洗浄されることなく汚染物質が堆積され、透視性が損なわれることのみならず、防音パネルの最上段のみが汚染された状態となり外観上極めて好ましくないこととなる。
【０００９】
また、透視性を有する面材を用いた透光性の防音パネルには吸音性を具備させることが困難であり、また金属を主体として用いた不透明な防音パネルと比較してコストが高いことから、圧迫感の軽減及び周囲の景観を遮らないようにするのに、防音壁全体を透視性を有する面材を用いたものとせず、道路利用者の高さ付近を透視性を有するものとし、他の部分は金属を主体として用い吸音性を具備した防音パネルとし、コストの低減及び吸音性の具備を図る場合がある。
【００１０】
かかる場合においては、透光性の防音パネルを下枠材の水の通り道を伝って下方に導かれるようにして、その導かれた雨水が、さらに下段の防音パネルの内側の面上に導かれるようにしてあったとしても、不透明な防音パネルがかような構造となされていなければ、不透明な防音パネルの外側の面を伝ってくる雨水が雨筋となって限定された箇所に集中し、複数の水の通り道を互いに間隔を開けて並設したとしても雨水が十分に面上に拡散されず、雨水による汚染物質の落とされる度合いに差が出て防音パネルの外観がまだらに見えて見苦しくなるといった不具合が生じる場合もある。
【００１１】
そこで本発明は、上記の如き問題を解決し、雨水によって効果的に防音パネルの洗浄がなされる防音パネルの洗浄構造及びこの洗浄構造を備えた防音壁を提供せんとするものである。
【００１２】
【課題を解決するための手段】
上記の課題を解決するために本発明は以下のような構成としている。すなわち、上部に樋状の雨受け部を形成し、雨受け部に降った雨水が、内側及び／又は外側の面状に導かれるようになされ、外側の面の上方に遮蔽物が存在する防音パネルの洗浄構造であって、該防音パネルは、該遮蔽物より外側に雨受け部を張り出させたことを特徴とするものである。
【００１３】
本発明によれば、防音パネルの上部に設けられ、上方の遮蔽物より外側に張り出された樋状の雨受け部によって集められた雨水が、内側及び／又は外側の面上に導かれることで、遮音壁の上方に遮蔽物が存在し、直接当たる雨水が期待できない状況においても最上段の内側の面を前記雨水にて洗浄でき、汚染物質を洗い流して透視性を保持することができる。
【００１４】
また、前記防音パネルは、内側に向かって傾斜して設けられたものであることを特徴とするものである。防音パネルが内側に傾斜していると、内側の面にはより雨水が当たりにくくなり、本発明に係わる洗浄構造がとりわけ好適に適用されるものである。
【００１５】
また本発明は、防音パネルの上方に面板が配置され、該面板上に降った雨水を防音パネルの上端付近に導いて防音パネルの内側の面及び／又は外側の面を洗浄する防音パネルの洗浄構造であって、面板の下端付近に、上端から下端に向かう複数の水の通り道が互いに間隔を開けて並設されていることを特徴とするものである。
【００１６】
本発明によれば、防音パネルの上方に配置された面板の下端付近に設けられた上端から下端に向かう水の通り道によって、防音パネルの上端付近に洗浄に係わる水が分散して導かれ、雨水が防音パネルの内側の面上及び／又は外側の面上に拡散されることで雨水による汚染物質の洗い流される度合いの差が生じるのを軽減でき、防音パネルの外観がまだらに見えることを防止できる。
【００１７】
また本発明は、面板の上部が曲折されて折曲部が形成され、該折曲部の上面が雨水受けとなされ、上方からの雨水を受ける前記雨水受けを上部に形成した防音パネルを、雨水受けが下り勾配で内側に傾斜するようにして設置し、雨水受けで受けた上方からの雨水が、雨水受け上を伝って防音パネルの内側の面上に導かれるようになされた防音パネルの洗浄構造であって、前記雨水受けは折り畳み可能となされていることを特徴とするものである。
【００１８】
本発明によれば、防音パネルの内側に雨水が当たりにくい状態であっても、雨水受けにより受けられた雨水が防音パネルの内側の面に導かれて汚染物質を洗い流すことができるが、その雨水受けを折り畳み可能とすることで運搬時に雨水受けが邪魔になることがなく、また防音パネルの設置時に折り畳まれていた雨水受けを所定の位置に戻すことで、雨水受けは容易に設けることができる。
【００１９】
また本発明に係わる防音壁は、請求項１〜３のいずれかに記載の防音パネルの洗浄構造を備えたことを特徴とするものである。
【００２０】
【発明の実施の形態】
本発明の実施の形態について、図面に基づき以下に具体的に説明する。
図１は、本発明が適用される防音パネルの上方に遮蔽物が存在する防音壁を示す側面図である。高架道路Ｒの擁壁Ｙ上に立設され、防音パネル１０を複数積み重ねて形成された防音壁１００は、その上方に遮蔽物である高架道路Ｓが存在しており、高架道路Ｓの外側の面Ｓ１は、防音壁１００の外側の面１１０より外側に存在している。
【００２１】
かような状況においては、防音壁１００の、ａに示す面には雨水が当たり、またｂに示す面についても、本出願人による特開２０００−２０４５２０号に記載される如く導水孔等により外側の面に当たった雨水を内側の面に導き、それぞれ雨水により洗浄させることができるが、最上段の防音パネル１０ａのｃに示す面については、上方の遮蔽物である高架道路Ｓによって雨水がかかることが妨げられ、また他に洗浄手段を用いない場合には汚染物質が堆積して汚れ、外観が見苦しくなることのみならず、防音パネル１０が透視性を有するものである場合にはその機能が損なわれることとなる。
【００２２】
図２は、本発明に係わる実施の一形態を示す側面図で、図１に示した防音壁１００を形成する最上段の防音パネル１０ａに、遮蔽物より外側に張り出した樋上の雨受け部１を設けたものである。かような構造とすることで、防音壁１００の上方に高架道路Ｓの如き遮蔽物が存在していても、降った雨水Ｗは雨受け部１によって集められ、その水を防音パネル１０ａの内側の面上に導くことで、ｃに示す面についても洗浄を行うことが可能となる。また、雨受け部１に直接降った雨水Ｗのみならず、遮蔽物である高架道路Ｓの外側面Ｓ１に当たって流れ落ちる雨水をも受けることができ、洗浄に係わる水量を増加させて洗浄効果をより高めることができる。
【００２３】
また本発明に係わる雨受け部１は、最上段の防音パネル１０ａに設けるのみならず、図３に示すように複数段積み重ねられた防音パネル１０ｂ、１０ｃのそれぞれについて設けてもよく、また設ける箇所は状況に応じて適宜決定してもよい。かような構造とすることで、防音壁の外側面を伝う水を確実に捕集できることや、雨受け部１に降った雨水を収集することで、より洗浄に係わる水量を多くでき洗浄効果を高めることができる。
【００２４】
図４は、本発明に係わる防音パネルの洗浄構造を示すもので、最上段の防音パネル付近を示す断面図である。防音パネル１０は、透視性の遮音板４の端縁を枠材３の開口溝３１に挿入することで周囲に枠体を形成したもので、本断面図においては上枠材３ａ及び下枠材３ｂと、遮音板４との構造を示している。最上段の防音パネル１０ａの上枠材３ａには、外側に向かって雨受け部１が取り付けられている。ここで雨受け部１は、外側へ張り出す長さが現地の遮蔽物の状態によって異なることから、取り付け式としておくのが好ましい。雨受け部１に降った雨水は、波線Ｗ１に示すように上枠材３ａに設けられた導水孔３２と通って防音パネル１０ａの内側の面に導かれ、その面を洗浄することとなる。またここで、雨受け部１により集められた水は、内側の面のみならず、その一部を外側の面に導くようにしてもよい。
【００２５】
防音パネル１０ａの外側の面に当たった雨水も、波線Ｗ２に示すように遮音板４の外側の面を伝って下段の防音パネル１０ｂの上枠材３ａへと導かれ、同じく導水孔３２と通って防音パネル１０ｂの内側の面へと導かれ、その面を洗浄することとなる。かような構造とすることで、防音パネル１０ａ及び１０ｂの内側及び外側の面に水が当たるようになり、汚染物質の堆積を防止することができ、特に作業者による水の噴射や、スプリンクラーによる散水等の洗浄を行うことなく、外観及び透視性の維持管理を行うことが可能となる。
【００２６】
図５は、本発明に係わる洗浄構造が適用される防音壁を示すもので、防音壁１００の上方が内側に向かって傾斜して設けられ、上方の防音壁に外装板が取り付けられた側面図を示すものである。防音パネル１０ａ〜１０ｃについては、図４に示した実施例と同様に、透視性の遮音板を用いたものであるが、上方の防音パネル１０ｄ〜ｇについては、遮音性に加えて吸音性を具備させたものであり、透視性を有さないものである。かような防音パネル１０ｄ〜ｇを設置するに当たっては、外側からの外観を向上させるために外装板２０を設けることが多いが、外装板２０が何らかの理由で本図に示すように防音パネル１０から離れた位置に設置され、その下端が防音パネル１０ａの外側の面より外側に位置している場合、外装板２０の外面を伝ってきた水Ｗは防音パネル１０ａに接触することなく下方に流れ落ちることとなる。
【００２７】
更には、防音壁１００の上方が内側に傾斜していることから、内側の面には雨水が当たりにくくなり洗浄効果が低下するのと、外装板２０が遮蔽物となって、前述の実施形態と同様にａ及びｂに示す面は水により洗浄されるものの、ｃに示す面には十分な量の雨水が当たることを期待できなくなり、汚染物質が堆積する恐れが大きくなる。
【００２８】
図６に示すように、防音パネル１０ａの上部に雨受け部１を設けることで、降った雨水を受け、更には外装板２０の外側の面を伝ってきた水Ｗを捕集することができることで、最上段の防音パネル１０ａの内側の面、すなわちｃに示す面についても十分な水量での洗浄を行うことができる。
【００２９】
図７は、本発明に係わる実施の一形態を示すもので、図６に示した形態において、防音パネルの上方に配置された面板である外装板２０の下端に、上端から下端に向かう複数の水の通り道が互いに間隔を開けて併設された部材を取り付けた状態を示す外側の面からの正面図である。外装板２０の外側面を伝ってきた雨水は、十分に拡散されている場合には特に問題はないものの、雨筋状となって外装板２０の外側面を伝ってきた場合には限られた箇所に集中して水が流れ、透視性の防音パネル１０ａ〜ｃの雨水による汚染物質の落とされる度合いに差が出て、防音パネル１０ａ〜ｃの外観がまだらに見えて見苦しくなるといった不具合が生じる恐れがある。
【００３０】
本図に示すように、上端から下端に向かう複数の水の通り道が互いに間隔を開けて併設された部材２（以下、部材２とする）を取り付けることで外装板２０の外側面上を雨水が雨筋状となって流れた場合においても、部材２によって拡散され、雨水が限られた箇所に集中して流れるのを防止し、防音パネル１０ａ〜ｃの外観がまだらになるのを防ぐことができる。
【００３１】
図８は、本発明に係わる部材２の実施の一形態を示すものであり、水の通り道である凹部が互いに間隔を開けて並設され、凹部の下端が尖らせてあって、水の通り道の傾斜角度が途中で変化させられた部材の斜視図を示すものである。面板Ｍ上をα方向に伝わってきた水は限られた箇所に集中して流れてきたとしても、部材２に設けられた凹部２１と凸部２２の内、凸部２１により分割されて凹部２２を主として流れることと、また面材Ｍと部材２との間で毛細管現象を起こすことで適度に分散される。また途中に折れ点２４を設けたことで、折れ点２４より上流に水が滞留して分散されやすくなり、更には部材２の先端に設けられた尖端部２３により水が凹部２３に集約されることで、防音パネルに導かれた後に面上で拡散されやすくされた状態で防音パネルの上端付近へと導かれることになる。
【００３２】
図９は本発明に係わる実施の一形態を示すもので、ａ）は運搬時等の雨水受けが必要でない状態を示す断面図、ｂ）は設置後に雨水受けが機能している状態を示す断面図である。ａ）に示す如く、上枠材３ａには導水孔３２が設けられると共に、雨水受け部５１、取付部５２及びヒンジ５３からなる雨水受け５が取り付けられ、雨水受け部５１がヒンジ５３を中心に回動することで雨水受け５は折り畳み可能となされている。雨水受け５は、防音パネルの洗浄に関わる雨水を捕集するためにある程度の面積が必要であるが、かように折り畳み可能としておくことで防音パネル１０から大幅に張り出すことがなくなり、積み重ねることが可能になる等、運搬時などにおいて邪魔になることがなくなる。
【００３３】
雨水受け５を機能させるには、雨水受け部５１をヒンジ５３を中心に回動させて所定の位置に戻して固定する。ｂ）に示す如く雨水受け部５１を上枠材３ａにビス、リベット等の締結手段５４により固定することで、雨水受け部５１及び取付部により防音パネル１０の上部に折曲部が形成される。かかる雨水受け５は部材を別個に運搬し、現地で取り付けるといった手間を必要とすることなく容易に形成することができる。かかる雨水受け５により、防音パネル１０が内側に向かって傾斜している等の理由によりその内側に雨水が当たりにくい状態にあっても、雨水受け５により雨水Ｗを捕集し、捕集した上方からの雨水Ｗが、雨水受け上を伝って防音パネル１０の遮音板４の内側の面上に導かれることで、雨水Ｗ１により内側の面は洗浄されることとなる。
【００３４】
【発明の効果】
本発明によれば、防音パネルの上部に設けられ、上方の遮蔽物より外側に張り出された樋状の雨受け部によって集められた雨水が、内側及び／又は外側の面上に導かれることで、遮音壁の上方に遮蔽物が存在し、直接当たる雨水が期待できない状況においても最上段の内側の面を前記雨水にて洗浄でき、汚染物質を洗い流して透視性を保持することができる。
【００３５】
また本発明によれば、防音パネルの上方に配置された面板の下端付近に設けられた上端から下端に向かう水の通り道によって、防音パネルの上端付近に洗浄に係わる水が分散して導かれ、雨水が防音パネルの内側の面上及び／又は外側の面上に拡散されることで雨水による汚染物質の洗い流される度合いの差が生じるのを軽減でき、防音パネルの外観がまだらに見えることを防止できる。
【００３６】
また本発明によれば、防音パネルの内側に雨水が当たりにくい状態であっても、雨水受けにより受けられた雨水が防音パネルの内側の面に導かれて汚染物質を洗い流すことができるが、その雨水受けを折り畳み可能とすることで運搬時に雨水受けが邪魔になることがなく、また防音パネルの設置時に折り畳まれていた雨水受けを所定の位置に戻すことで、雨水受けは容易に設けることができる。
【図面の簡単な説明】
【図１】本発明に係わる洗浄構造が適用される防音壁を示す側面図である。
【図２】本発明に係わる洗浄構造を備えた防音壁の実施の一形態を示す側面図である。
【図３】本発明に係わる洗浄構造を備えた防音壁の実施の一形態を示す側面図である。
【図４】本発明に係わる洗浄構造の実施の一形態を示す断面図である。
【図５】本発明に係わる洗浄構造が適用される防音壁を示す側面図である。
【図６】本発明に係わる洗浄構造を備えた防音壁の実施の一形態を示す側面図である。
【図７】本発明に係わる洗浄構造を備えた防音壁の実施の一形態を示す正面図である。
【図８】本発明の洗浄構造に係わる部材を示す斜視図である。
【図９】本発明に係わる洗浄構造の実施の一形態を示す断面図である。
【符号の説明】
１　　雨受け部
２　　上端から下端に向かう複数の水の通り道が互いに間隔を開けて併設された部材
２１　凹部
２２　凸部
２３　尖端部
２４　折れ点
３　　枠材
３１　開口溝
３２　導水孔
４　　遮音板
５　　雨水受け
５１　雨水受け部
５２　取付部
５３　ヒンジ
５４　締結手段
１０　防音パネル
１００　防音壁
１１０　外側面
Ｒ　　高架道路
Ｙ　　擁壁
Ｓ　　高架道路
Ｗ　　雨水
Ｍ　　面板
【図１】
2004052231.tif 000003
【図２】
2004052231.tif 000004
【図３】
2004052231.tif 000005
【図４】
2004052231.tif 000006
【図５】
2004052231.tif 000007
【図６】
2004052231.tif 000008
【図７】
2004052231.tif 000009
【図８】
2004052231.tif 000010
【図９】
2004052231.tif 000011